(57)【特許請求の範囲】
【請求項１】
支持面に置かれている選別対象の多数の豆類の中から所望の豆類を選別するための豆類選別器具であって、
下端側に豆類が通過可能な開口を備えるとともに、少なくとも１個の豆類を収容可能な収容部と、
前記開口に設けられ、豆類を前記収容部へ取り込むための取込部とを備え、
前記取込部は、前記開口を狭めるように突設された、弾性を有する複数の突部とを備え、
前記複数の突部は、それらを前記所望の豆類の上から押し付けると、該複数の突部同士の間隔が該豆類によって押し広げられることにより、該豆類を通過させて取り込むとともに、該豆類が通過すると元の状態に復元することにより、取り込んだ豆類が落下することを阻止するように構成されている
豆類選別器具。
【請求項２】
前記複数の突部は、それぞれ下方へ延設されてなっている
請求項１記載の豆類選別器具。
【請求項３】
前記複数の突部は、下側になるほど互いの間隔が広くなっている広がり部を下端部に備えている
請求項２記載の豆類選別器具。
【請求項４】
前記収容部は、複数の豆類が収容可能に、上方へ延びる筒状に形成されている
請求項１〜３のいずれか一項に記載の豆類選別器具。
【請求項５】
前記収容部は、その内部が上側になるほど広くなるように形成されている
請求項４記載の豆類選別器具。
【発明の詳細な説明】
【技術分野】
【０００１】
本発明は、黒大豆、小豆等の豆類を選別するための豆類選別器具に関するものである。
【背景技術】
【０００２】
特許文献１の従来技術に記載されているように、収穫した黒大豆のうち、傷のある豆、色合いの悪い豆あるいは小粒の豆などの不良品を取り除き、良品のみ選別するには、機具などを使わず全て手で選別する方法と、選別しやすいように機具を使って豆を並べ、あとは手で選別する方法がある。このように、豆類の選別では、機具による選別には限界があり、最終的に手で選別を行う必要がある。
【先行技術文献】
【特許文献】
【０００３】
【特許文献１】特開２０００−３２５８８８号公報（段落０００２）
【発明の概要】
【発明が解決しようとする課題】
【０００４】
ところが、手での豆類の選別作業は、従来、不良の豆類を一個ずつピンセットや指で摘んで拾い上げて、その都度回収容器に入れているため、手間が掛かり、能率が悪いという課題がある。
【課題を解決するための手段】
【０００５】
前記課題を解決するために、第１の発明の豆類選別器具は、
支持面に置かれている選別対象の多数の豆類の中から所望の豆類を選別するための豆類選別器具であって、
下端側に豆類が通過可能な開口を備えるとともに、少なくとも１個の豆類を収容可能な収容部と、
前記開口に設けられ、豆類を取り込むための取込部とを備え、
前記取込部は、前記開口を狭めるように突設された、弾性を有する複数の突部を備え、
前記複数の突部は、それらを前記所望の豆類の上から押し付けると、該複数の突部同士の間隔が該豆類によって押し広げられることにより、該豆類を通過させて取り込むとともに、該豆類が通過すると元の状態に復元することにより、取り込んだ豆類が落下することを阻止するように構成されている。
【０００６】
なお、選別対象の豆類の粒径は、機具による選別や、手作業で篩にかけること等により、ばらつきを一定範囲内に抑えることができるので、選別対象の豆類の粒径に応じて、前記複数の突部の間隔、弾性や、前記収容部の大きさ、形状等を適宜設定するようにする。
【０００７】
この構成によれば、豆類の上から押さえ付けるだけの簡単な動作で所望の豆類を取り込むことができ、従来よりも選別作業の能率を向上させることができる。
【０００８】
第２の発明の豆類選別器具としては、前記第１の発明において、
前記複数の突部は、それぞれ下方へ延設されてなっている態様を例示する。
【０００９】
この構成によれば、前記取込部は、前記複数の突部が前記開口を狭めるように下方へ延設されてなることにより、先細り形状にすることができるので、取り込もうとする豆類に狙いを定めやすくなっている。
【００１０】
第３の発明の豆類選別器具としては、前記第２の発明において、
前記複数の突部は、下側になるほど互いの間隔が広くなっている広がり部を下端部に備えている。
【００１１】
この構成によれば、前記広がり部により、選別しようとする豆類を前記複数の突部の下端部における互いの隙間に容易に位置決めすることができ、豆類を確実に取り込むことができる。
【００１２】
第４の発明の豆類選別器具としては、前記第１〜３のいずれかの発明において、
前記収容部は、複数の豆類が収容可能に、上方へ延びる筒状に形成されている。
【００１３】
この構成によれば、複数の豆類を前記収容部に取り込んでから、それらをまとめて回収容器に移し入れればよく、１個ずつ移し入れる必要がないので、従来よりも選別作業の能率を向上させることができる。
【００１４】
第５の発明の豆類選別器具としては、前記第４の発明において、
前記収容部は、その内部が上側になるほど広くなるように形成されている。
【００１５】
この構成によれば、前記収容部の内部が上側に、すなわち豆類の移動方向の前方になるほど広くなるように形成されているので、豆類が前記収容部の中で詰まることを防止できる。そのため、新たな豆類を前記収容部の中にスムーズに取り込むことができ、また、収容部の中に取り込んだ豆類をスムーズに取り出すことができる。
【発明の効果】
【００１６】
本発明に係る豆類選別器具によれば、簡単な動作で豆類を選別することができ、選別作業の能率を向上させることができるという優れた効果を奏する。
【図面の簡単な説明】
【００１７】
【図１】本発明を具体化した一実施形態に係る豆類選別器具の正面、右側面及び底面を表した斜視図である。
【図２】同豆類選別器具を示す図であり、（ａ）は平面図、（ｂ）は正面図、（ｃ）は底面図をそれぞれ示している。
【図３】同豆類選別器具の使用方法を示す図である。
【図４】変更例に係る同豆類選別器具をその斜め下方から写した写真である。
【発明を実施するための形態】
【００１８】
図１〜図３は本発明を具体化した一実施形態の豆類選別器具を示している。この豆類選別器具１は、支持面Ｓに置かれている選別対象の多数の豆類の中から所望の豆類を選別するためのものであり、下端側に豆類Ｂが通過可能な開口２ａを備えるとともに、少なくとも１個の豆類を収容可能な収容部２と、開口２ａに設けられ、豆類Ｂを取り込むための取込部３とを備えている。本例の豆類選別器具１は、収容部２及び取込部３が樹脂により一体成形されてなっている。前記所望の豆類Ｂとしては、本例では、割れ、傷、膨れ、色彩不良等の不良品の豆類を指している。
【００１９】
収容部２は、複数の豆類Ｂが収容可能に、上方へ延びる筒状に形成されている。収容部２は、その内部が上側になるほど広くなるようにテーパー状に形成されている。収容部２に取り込んだ豆類Ｂは、上端側の開口２ｂから取り出すようになっている。収容部２における豆類Ｂの収容数としては、特に限定されないが、２０個程度にすることを例示する。
【００２０】
取込部３は、開口２ａを狭めるように突設された、弾性を有する複数（本例では３つ）の突部３ａと、隣接する突部３ａ同士の間に設けられ、該突部３ａ同士の隙間を狭めるように突設された補助突部３ｂとを備えている。本例の複数の突部３ａは、それぞれ下方へ延設されてなっている。また、本例の複数の突部３ａは、それらの下端部に、下側になるほど互いの間隔が広くなっている広がり部４を備えている。そして、複数の突部３ａは、それらを豆類Ｂの上から押し付けると、該複数の突部３ａ同士の間隔が該豆類Ｂによって押し広げられることにより、該豆類Ｂを通過させて取り込むとともに、該豆類Ｂが通過すると元の状態に復元することにより、取り込んだ豆類Ｂが落下することを阻止するように構成されている。
【００２１】
次に、本例の豆類選別器具１の使用方法を、図３を参照しながら説明する。まず、支持面Ｓに置かれた多数の豆類Ｂのうちから取り込もうとする所望の豆類Ｂに狙いを定め、同図（ａ）に示すように、その豆類Ｂの上から、複数の突部３ａを押し付ける。すると、同図（ｂ）に示すように、該複数の突部３ａを介して豆類Ｂを取り込むことができる。そして、この動作を繰り返すことにより、同図（ｂ）に二点鎖線で示すように、収容部２に複数の豆類を収容することができる。そして、収容部２の中に取り込んだ豆類Ｂは、豆類選別器具１の上下を逆さまにすると、上端側の開口２ｂからまとめて取り出すことができる。
【００２２】
以上のように構成された本例の豆類選別器具１によれば、前述した収容部２及び取込部３を備えているので、豆類Ｂの上から押さえ付けるだけの簡単な動作で所望の豆類Ｂを取り込むことができ、従来よりも選別作業の能率を向上させることができる。
【００２３】
また、取込部３は、複数の突部３ａが、開口２ａを狭めるように下方へ延設されてなることにより、先細り形状にすることができるので、取り込もうとする豆類Ｂに狙いを定めやすくなっている。
【００２４】
また、複数の突部３ａは、下側になるほど互いの間隔が広くなっている広がり部４を下端部に備えているので、選別しようとする豆類Ｂを複数の突部３ａの下端部における互いの隙間に容易に位置決めすることができ、豆類を確実に取り込むことができる。
【００２５】
また、収容部２は、複数の豆類Ｂが収容可能に、上方へ延びる筒状に形成されているので、複数の豆類Ｂを収容部２に取り込んでから、それらをまとめて回収容器に移し入れればよく、１個ずつ移し入れる必要がないので、従来よりも選別作業の能率を向上させることができる。
【００２６】
さらに、収容部２は、その内部が上側に、即ち豆類Ｂの移動方向の前方になるほど広くなるように形成されているので、豆類Ｂが収容部２の中で詰まることを防止できる。そのため、新たな豆類Ｂを収容部２の中にスムーズに取り込むことができ、また、収容部２の中に取り込んだ豆類Ｂをスムーズに取り出すことができる。
【００２７】
なお、本発明は前記実施形態に限定されるものではなく、例えば以下のように、発明の趣旨から逸脱しない範囲で適宜変更して具体化することもできる。
（１）複数の突部３ａの態様を次のように変更すること。
（１−ａ）開口２ａを狭めるように、開口２ａの中心に向けて延設されてなる態様。
（１−ｂ）開口２ａを狭めるように、本例とは逆向きとなる上方へ延設されてなる態様。
（２）例えば図４に示すように、弾性を有する金属性の棒状体により突部を構成すること。
（３）例えば図４に示すように、収容部２と取込部３を別体に構成すること。
（４）本発明の豆類選別器具１の一部又は全部を透明な素材により形成すること。これにより、豆類Ｂの取り込み状況を容易に確認することができる。図４は、収容部２を透明な樹脂により形成した態様を示している。
（５）本発明の豆類選別器具１を、良品の豆類Ｂの取り込みに使用すること。
【符号の説明】
【００２８】
１    豆類選別器具
２    収容部
２ａ  開口
２ｂ  開口
３    取込部
３ａ  突部
３ｂ  補助突部
４    広がり部
Ｂ    豆類
Ｓ    支持面
【図１】
0006408942.tif 000002
【図２】
0006408942.tif 000003
【図３】
0006408942.tif 000004
【図４】
0006408942.tif 000005